(57)【特許請求の範囲】
【請求項１】
記録媒体に記録されている画像を表示する表示手段と、
前記記録媒体に存在するフォルダの数に基づいてフォルダジャンプ数を決定するフォルダジャンプ数決定手段と、
前記記録媒体に存在するフォルダの中から基準フォルダを決定し、前記基準フォルダと前記フォルダジャンプ数とに基づいてジャンプフォルダを決定するジャンプフォルダ決定手段と、
前記ジャンプフォルダに存在する画像の中から、再生画像を決定する再生画像決定手段と
を有し、
前記再生画像決定手段によって決定された前記再生画像を前記表示手段に表示し、
前記フォルダジャンプ数をユーザの指示により変更できるようにした画像再生装置。
【請求項２】
前記ジャンプフォルダ決定手段は、前記表示手段に表示されている画像が存在するフォルダを前記基準フォルダに決定する請求項１に記載の画像再生装置。
【請求項３】
前記フォルダジャンプ数決定手段は、前記記録媒体に存在するフォルダの数を所定数で除算して得た商に基づいて前記フォルダジャンプ数を決定する請求項１または２に記載の画像再生装置。
【請求項４】
前記ジャンプフォルダに画像が存在しない場合は、前記ジャンプフォルダを前記基準フォルダに決定し、再度、ジャンプフォルダを決定する請求項１から３のいずれか１項に記載の画像再生装置。
【請求項５】
前記ジャンプフォルダに画像が存在しない場合は、警告を行う請求項１から４のいずれか１項に記載の画像再生装置。
【請求項６】
前記再生画像決定手段は、前記ジャンプフォルダの中の先頭画像を含む１枚以上の画像を前記再生画像に決定する請求項１から５のいずれか１項に記載の画像再生装置。
【請求項７】
前記再生画像決定手段は、前記ジャンプフォルダの中の後端画像を含む１枚以上の画像を前記再生画像に決定する請求項１から６のいずれか１項に記載の画像再生装置。
【請求項８】
前記画像再生装置は、デジタルカメラ、デジタルビデオカメラ又はカメラ付き携帯電話である請求項１から７のいずれか１項に記載の画像再生装置。
【請求項９】
記録媒体に記録されている画像を表示する表示手段と、
前記記録媒体に存在するフォルダの中から基準フォルダを決定し、前記基準フォルダに基づいてジャンプフォルダを決定するジャンプフォルダ決定手段と、
前記ジャンプフォルダに存在する画像の中から、再生画像を決定する再生画像決定手段と
を有し、
前記再生画像決定手段によって決定された前記再生画像を前記表示手段に表示し、
前記ジャンプフォルダに画像が存在しない場合は、前記ジャンプフォルダを前記基準フォルダに決定し、再度、ジャンプフォルダを決定する画像再生装置。
【請求項１０】
前記ジャンプフォルダ決定手段は、前記表示手段に表示されている画像が存在するフォルダを前記基準フォルダに決定する請求項９に記載の画像再生装置。
【請求項１１】
前記ジャンプフォルダ決定手段は、前記基準フォルダの次のフォルダ又は前のフォルダを前記ジャンプフォルダに決定する請求項９または１０に記載の画像再生装置。
【請求項１２】
前記ジャンプフォルダ決定手段は、前記基準フォルダから所定数だけ順方向又は逆方向のフォルダを前記ジャンプフォルダに決定する請求項９または１０に記載の画像再生装置。
【請求項１３】
前記記録媒体に存在するフォルダの数に基づいてフォルダジャンプ数を決定するフォルダジャンプ数決定手段をさらに有し、
前記ジャンプフォルダ決定手段は、前記基準フォルダと、前記フォルダジャンプ数とに基づいて前記ジャンプフォルダを決定する請求項９または１０に記載の画像再生装置。
【請求項１４】
前記フォルダジャンプ数決定手段は、前記記録媒体に存在するフォルダの数を所定数で除算して得た商に基づいて前記フォルダジャンプ数を決定する請求項１３に記載の画像再生装置。
【請求項１５】
前記フォルダジャンプ数をユーザの指示により変更できるようにした請求項１３または１４に記載の画像再生装置。
【請求項１６】
前記ジャンプフォルダに画像が存在しない場合は、警告を行う請求項９から１５のいずれか１項に記載の画像再生装置。
【請求項１７】
前記再生画像決定手段は、前記ジャンプフォルダの中の先頭画像を含む１枚以上の画像を前記再生画像に決定する請求項９から１６のいずれか１項に記載の画像再生装置。
【請求項１８】
前記再生画像決定手段は、前記ジャンプフォルダの中の後端画像を含む１枚以上の画像を前記再生画像に決定する請求項９から１７のいずれか１項に記載の画像再生装置。
【請求項１９】
前記画像再生装置は、デジタルカメラ、デジタルビデオカメラ又はカメラ付き携帯電話である請求項９から１８のいずれか１項に記載の画像再生装置。
【発明の詳細な説明】
【技術分野】
【０００１】
本発明は、記録媒体に記録された画像を再生する画像再生装置に関する。
【背景技術】
【０００２】
近年、撮影した画像情報を電子的に処理してメモリカードなどの記録媒体に画像ファイルとして保存可能なデジタルカメラが普及している。さらに、このようなデジタルカメラの大半は、内蔵する表示装置（例えば、液晶表示パネル）やビデオ出力に接続する外部表示装置（例えば、テレビ）により画像を表示可能なように構成されている。
【０００３】
ユーザは記録された画像を１回の操作で１コマずつ順に送る又は戻すことによって、画像を確認しながら所望の画像ファイルを探し出し閲覧する。また、１回の操作で１コマずつではなく、Ｎ（Ｎは２以上の整数）コマ先又は前の画像を表示可能なジャンプ機能を有するデジタルカメラがある。このようなジャンプ機能により、明らかに現在表示されている画像の近傍に所望の画像ファイルが存在しないことをユーザが認識している場合に、ユーザは少ない操作回数で所望の画像ファイルを探し出して閲覧可能である。
【０００４】
一方、近年、記録媒体は大容量化の傾向が顕著である。この傾向が進むにつれ、１つの記録媒体に記録される画像のコマ数（画像ファイル数）が膨大になっている。記録可能な画像ファイル数が膨大になるに従って、ユーザは所望の画像ファイルを探し出して閲覧するためにコマ送り又はコマ戻しの操作を何度も行わなければならなくなり、煩雑な操作を強いられることになる。
【０００５】
上述したジャンプ機能を有するデジタルカメラが、特許文献１に記載されている。特許文献１には、ユーザが上ボタンを操作することにより最初の画像又は初期画面にジャンプし、下ボタンを操作することにより最後の画像又は初期画面にジャンプする画像再生方法が記載されている。
【０００６】
また、画像ファイルが記録されるフォルダを目的に合わせてユーザが指定して撮影を行うことができるデジタルカメラがある。このデジタルカメラでは、ユーザは目的に合わせて再生を行う場合に、フォルダを意識して再生を行うこととなる。従来のデジタルカメラでは、画像の再生表示を行っている再生画面からフォルダ選択画面に表示画面を切り替えて、フォルダが選択された後に再生画面に再び戻る必要があった。
【０００７】
【特許文献１】特開２００４−１５３８３２号公報
【発明の開示】
【発明が解決しようとする課題】
【０００８】
しかしながら、ジャンプ機能を有する従来のデジタルカメラは、記録されている画像の総コマ数に対してジャンプコマ数Ｎが大き過ぎたり、あるいは小さ過ぎたりすることがある。また、どのフォルダの画像が次に再生されるのかが簡単に分からない。そのため、ジャンプ機能を有する従来のデジタルカメラは、所望のフォルダを意識しながら画像を探し出すのに不便である。
【０００９】
また、例えば、特許文献１に記載されているデジタルカメラのように、ジャンプ機能により最初又は最後の画像にジャンプするだけでは、記録されている画像のコマ数が増えた場合に、結局、コマ送りで閲覧することが多くなって操作が煩雑になる。
【００１０】
また、フォルダ選択画面に表示画面を切り替えてフォルダを選択させるデジタルカメラでは、ユーザが画像情報なしでフォルダを選択した後に、選択したフォルダの画像を再生表示して所望のフォルダであるかの確認を行うこととなり、操作が煩雑になる。
【００１１】
本発明は、記録媒体に記録されている画像の検索操作を改善することを目的とする。
【課題を解決するための手段】
【００１２】
本発明に係る画像再生装置の一つは、記録媒体に記録されている画像を表示する表示手段と、前記記録媒体に存在するフォルダの数に基づいてフォルダジャンプ数を決定するフォルダジャンプ数決定手段と、前記記録媒体に存在するフォルダの中から基準フォルダを決定し、前記基準フォルダと前記フォルダジャンプ数とに基づいてジャンプフォルダを決定するジャンプフォルダ決定手段と、前記ジャンプフォルダに存在する画像の中から、再生画像を決定する再生画像決定手段とを有し、前記再生画像決定手段によって決定された前記再生画像を前記表示手段に表示し、前記フォルダジャンプ数をユーザの指示により変更できるようにした画像再生装置である。
本発明に係る画像再生装置の一つは、記録媒体に記録されている画像を表示する表示手段と、前記記録媒体に存在するフォルダの中から基準フォルダを決定し、前記基準フォルダに基づいてジャンプフォルダを決定するジャンプフォルダ決定手段と、前記ジャンプフォルダに存在する画像の中から、再生画像を決定する再生画像決定手段とを有し、前記再生画像決定手段によって決定された前記再生画像を前記表示手段に表示し、前記ジャンプフォルダに画像が存在しない場合は、前記ジャンプフォルダを前記基準フォルダに決定し、再度、ジャンプフォルダを決定する画像再生装置である。
【発明の効果】
【００１３】
本発明によれば、記録媒体に記録されている画像の検索操作を改善することができる。
【発明を実施するための最良の形態】
【００１４】
以下、本発明の実施形態を図面に基づいて説明する。
【００１５】
（第１の実施形態）
図１は、本発明の第１の実施形態による画像再生装置の一例であるデジタルカメラの構成例を示すブロック図である。なお、本実施形態に係る画像再生装置は、デジタルカメラに限定されるものではなく、デジタルビデオカメラであってもカメラ付き携帯電話であってもよい。
図１において、１００は被写体を撮像するデジタルカメラである。１１０は電源であり、デジタルカメラ１００内の各回路（各機能部）に電源を供給する。１２０はカードスロットであり、着脱可能な記録媒体であるメモリカード１２１の挿抜が可能である。メモリカード１２１は、不揮発性メモリを内蔵したカード状の記録媒体である。メモリカード１２１は、例えばＳＤメモリカード、コンパクトフラッシュ（登録商標）である。
【００１６】
メモリカード１２１をカードスロット１２０に差し込んだ状態では、メモリカード１２１は、カード入出力部１１９と電気的に接続され、デジタルカメラ１００との間でデータを送受信することが可能になる。なお、本実施形態では、着脱可能な記録媒体の一例としてメモリカード１２１を用いているが、これに限定されるものではない。例えば、メモリカードの代わりに、ハードディスク装置、光ディスク、光磁気ディスク、磁気ディスク等を使用しても良い。
【００１７】
１０１は光軸方向に沿って移動させることにより焦点調節を行うフォーカシングレンズであり、１０２は同じく光軸方向に沿って移動させることにより撮像画像の変倍を行うズーミングレンズである。１０３は撮像素子１０４へ入射する光量を調節するための絞りである。フォーカシングレンズ１０１、ズーミングレンズ１０２及び絞り１０３は、デジタルカメラ１００における撮像光学系を構成する。
【００１８】
撮像素子１０４は、ＣＣＤイメージセンサ又はＣＭＯＳイメージセンサ等で構成される光電変換素子である。撮像素子１０４は、光学素子１０１〜１０３により構成される撮像光学系で形成された被写体の光学像を光電変換し、画像信号を出力する。前処理回路１０５は、ＣＤＳ（相関二重サンプリング）回路及びＡＧＣ（オートゲインコントロール）回路等を含み、撮像素子１０４から出力される画像信号のノイズを除去するとともにゲインを制御する。
【００１９】
Ａ／Ｄ（アナログ−デジタル）コンバータ１０６は、前処理回路１０５から出力されるアナログ画像信号をデジタル画像信号に変換する。像信号処理部１０７は、Ａ／Ｄコンバータ１０６での変換処理により得られたデジタル画像信号に、γ補正及びＡＷＢ（オートホワイトバランス）等の画像処理を施して画像データを生成する。像信号処理部１０７は、いわば撮像素子１０４の特性に起因する画像濃度の非線形性、及び光源に起因する画像色の偏りを補正する。フレームメモリ１０８は、いわゆるバッファメモリとして機能するメモリであり、像信号処理部１０７により生成された画像データを一時記憶する。
【００２０】
撮像素子１０４、前処理回路１０５、Ａ／Ｄコンバータ１０６、像信号処理部１０７、及びフレームメモリ１０８は、撮像光学系で形成された被写体像を画像データに変換する光電変換系を構成する。
【００２１】
デジタルカメラ１００全体を制御するＣＰＵ（Central Processing Unit）１０９には、電源１１０、不揮発性メモリ１１１、圧縮部１１２、ＲＡＭメモリ１１３、ＥＶＦ／ＬＣＤ制御部１１４、ＥＶＦ／ＬＣＤ１１５、メインスイッチ１１６、第１レリーズスイッチ１１７、第２レリーズスイッチ１１８、カード入出力部１１９、及び操作ボタン１２２〜１２５が接続される。ここで、ＥＶＦ／ＬＣＤ１１５は、２つの表示装置を有し、一つはＥＶＦ（電子ビューファインダ）であり、もう一つはＬＣＤ（液晶ディスプレイ）である。なお、ＥＶＦは、ＬＣＤよりも小型の液晶ディスプレイを有する。
【００２２】
ＣＰＵ１０９は、撮像素子１０４からの画像信号の読み出しを制御するクロック信号を送出し、撮像素子１０４、前処理回路１０５、Ａ／Ｄコンバータ１０６、像信号処理部１０７、及びフレームメモリ１０８の各機能部の動作タイミングを制御する。ＣＰＵ１０９は、不揮発性メモリ１１１に記憶されたソフトウェア（コンピュータプログラム）を読み出して実行することでデジタルカメラ１００の各機能部を制御する。例えば、ＣＰＵ１０９は、不揮発性メモリ１１１から処理プログラムを読み出して実行することで、後述する図２に示すフォルダジャンプ送りモードでの画像送り動作を実現する。
【００２３】
不揮発性メモリ１１１は、例えばＥＥＰＲＯＭ等で構成されており、ＣＰＵ１０９により実行される処理プログラムや各種データを記憶する。不揮発性メモリ１１１は、電源１１０がオフになり電源供給が遮断されても、記憶しているプログラムやデータを失うことなく保持する。
【００２４】
圧縮部１１２は、入力される画像データに所定の画像圧縮処理（例えば、ＪＰＥＧ方式による画像圧縮処理）を施して、データ量、具体的には画像ファイルサイズを縮小する。ＲＡＭメモリ１１３は、いわゆるＣＰＵ１０９のワークメモリとして機能し、ＣＰＵ１０９が各種処理を行う際にデータを一時的に記憶する。ＥＶＦ／ＬＣＤ制御部１１４は、ＥＶＦ／ＬＣＤ１１５を制御する。また、ＥＶＦ／ＬＣＤ制御部１１４は、ＥＶＦおよびＬＣＤに同じ画像を供給する。
【００２５】
ユーザの操作によりメインスイッチ１１６がオンにされると、ＣＰＵ１０９は、撮影に関する所定のプログラムを実行する。第１レリーズスイッチ１１７はレリーズボタンの第１ストローク（半押し状態）でオンになり、第２レリーズスイッチ１１８はレリーズボタンの第２ストローク（全押し状態）でオンとなる。例えば、本実施形態におけるデジタルカメラ１００では、第１レリーズスイッチ１１７がオンになると、測距や露光検出などの撮影動作に係る前処理が行われ、第２レリーズスイッチ１１８がオンになると実際に被写体像を得る撮像処理が行われる。なお、レリーズボタンは、デジタルカメラ１００にユーザが操作可能なように設けられた図示しないボタンである。
【００２６】
また、操作ボタン１２２〜１２５がユーザにより押下されると、ＣＰＵ１０９は、押下されたボタンに応じた動作を実行したり、そのボタンに応じた機能を有効にしたりする。具体的には、画像左送りボタン１２２、画像右送りボタン１２３、及びマルチ表示ボタン１２５の何れかが押下されると、ＣＰＵ１０９は、押下されたボタンに応じて、画像左送り、画像右送り、及びマルチ表示に係る動作を実行する。ここで、マルチ表示とは、例えばＥＶＦ／ＬＣＤ１１５に複数の画像を同時に表示する動作である。また、ジャンプボタン１２４が押下されると、ＣＰＵ１０９は、デジタルカメラ１００の動作状態をフォルダジャンプ送りモードにして、フォルダジャンプに係る機能を有効にする。
【００２７】
カード入出力部１１９は、メモリカード１２１との間でデータ送受信などの通信を行うためのインタフェース部である。カード入出力部１１９は、カードスロット１２０へ挿入されたメモリカード１２１にコマンドを送信できるとともに、メモリカード１２１との間で種々のデータを送受信可能である。
【００２８】
メモリカード１２１は、圧縮画像データを記録又は保存する機能を具備し、フラッシュメモリ等の半導体メモリ、磁気ディスク又は光ディスク等からなる。なお、メモリカード１２１への圧縮画像データの記録は、１つの撮像画像に係る圧縮画像データが１つの画像ファイルとして記録されるとともに、それらが複数のフォルダに分類して記録される。
【００２９】
次に、動作について説明する。
なお、本実施形態におけるデジタルカメラ１００での撮像動作及びそれにより得られる画像データの記録媒体への記録動作は、従来のデジタルカメラと同様であるので説明は省略する。
ただし、本実施形態では、上述したように１つの撮像画像に係る画像データが１つの画像ファイルとして記録されるとともに、複数のフォルダに分類して記録される。また、本実施形態では、記録媒体に記録された画像ファイルについての表示に係る配列順序、すなわち通常の画像再生時における画像の表示順は、撮影順であるものとする。
【００３０】
操作ボタン１２２〜１２５へのユーザ操作に対する本実施形態での基本動作を説明する。本実施形態におけるデジタルカメラ１００は、通常の画像再生時に画像左送りボタン１２２が押下されると、現在表示している画像の前の画像をＥＶＦ／ＬＣＤ１１５に表示し、画像右送りボタン１２３が押下されると、現在表示している画像の次の画像をＥＶＦ／ＬＣＤ１１５に表示する。
【００３１】
また、デジタルカメラ１００は、最新の画像を表示している状態で画像右送りボタン１２３が押下されると、最古の画像をＥＶＦ／ＬＣＤ１１５に表示する。デジタルカメラ１００は、逆に最古の画像を表示している状態で画像左送りボタン１２２が押下されると、最新の画像をＥＶＦ／ＬＣＤ１１５に表示する。また、通常の画像再生時にジャンプボタン１２４がユーザにより押下されると、デジタルカメラ１００の動作状態は、フォルダジャンプ送りモードになり、フォルダジャンプ機能が有効になる。
【００３２】
図２は、本実施形態におけるフォルダジャンプ送りモードでの画像送り動作を示すフローチャートである。図２に示すフローチャートを参照して、フォルダジャンプ送りモードでの画像送り動作について説明する。
【００３３】
通常の画像再生時にジャンプボタン１２４がユーザにより押下され、動作状態がフォルダジャンプ送りモードに移ると、ＣＰＵ１０９は、現在表示している画像が存在するフォルダを基準となるフォルダ（以下、「カレントフォルダ」と称す。）として決定する（Ｓ１１）。ここで、複数の画像を同時に表示するマルチ表示を行っている場合には、ＣＰＵ１０９は、表示されている複数の画像の中から選択した画像をカレントファイルとして決定し、このカレントファイルが存在するフォルダをカレントフォルダとして決定する。もしくは、ＣＰＵ１０９は、マルチ表示している画像が、最も多く存在するフォルダをカレントフォルダとして決定するようにしても良い。
【００３４】
ステップＳ１１においてカレントフォルダを決定した後、ＣＰＵ１０９は、ジャンプボタン１２４がオンであるかオフであるかを判別する（Ｓ１２）。その結果、ジャンプボタン１２４がオフであれば、ＣＰＵ１０９は、通常再生に戻るよう制御を行い、フォルダジャンプ画像送り処理を終了する。
【００３５】
一方、ステップＳ１２での判別の結果、ジャンプボタン１２４がオンであれば、ＣＰＵ１０９は、画像右送りボタン１２３がオンであるかオフであるかを判別する（Ｓ１３）。その結果、画像右送りボタン１２３がオンであれば、ＣＰＵ１０９は、右送りジャンプフォルダ決定処理（Ｓ１５）を行う。
【００３６】
一方、ステップＳ１３での判別の結果、画像右送りボタン１２３がオフであれば、ＣＰＵ１０９は、画像左送りボタン１２２がオンであるかオフであるかを判別する（Ｓ１４）。その結果、画像左送りボタン１２２がオンであれば、ＣＰＵ１０９は、左送りジャンプフォルダ決定処理（Ｓ１６）を行う。
【００３７】
一方、ステップＳ１４での判別の結果、画像左送りボタン１２２がオフであれば、すなわちジャンプボタン１２４がオン、かつ画像送りボタン１２２、１２３の双方がオフであれば、ＣＰＵ１０９は、ステップＳ１２に戻り、再びジャンプボタン１２４がオンであるかオフであるかを判別する。
【００３８】
ステップＳ１５での右送りジャンプフォルダ決定処理では、ＣＰＵ１０９は、現在表示している画像が存在するフォルダに対してフォルダ順で次のフォルダをジャンプフォルダとして決定する。同様に、ステップＳ１６での左送りジャンプフォルダ決定処理では、ＣＰＵ１０９は、現在表示している画像が存在するフォルダに対してフォルダ順で前のフォルダをジャンプフォルダとして決定する。なお、ステップＳ１５での右送りジャンプフォルダ決定処理及びステップＳ１６での左送りジャンプフォルダ決定処理の詳細については後述する。
【００３９】
ステップＳ１５又はＳ１６でのジャンプフォルダ決定処理においてジャンプフォルダを決定した後、ＣＰＵ１０９は、フォルダジャンプ再生画像決定処理（Ｓ１７）を行う。ステップＳ１７でのフォルダジャンプ再生画像決定処理では、ＣＰＵ１０９は、決定したジャンプフォルダにおける先頭画像を含む１枚以上の画像を再生画像として決定する。そして、ＣＰＵ１０９は、ステップＳ１７において決定した再生画像をＥＶＦ／ＬＣＤ１１５に表示し（Ｓ１８）、ステップＳ１２に戻る。
【００４０】
ジャンプボタン１２４が押下されてオンになった後、ジャンプボタン１２４がオフであると判別されるまで、上述したステップＳ１２〜Ｓ１８までの処理がＣＰＵ１０９により実行される。
【００４１】
次に、図２に示したステップＳ１５、Ｓ１６において実行されるジャンプフォルダ決定処理について説明する。
図３は、図２に示したステップＳ１５での右送りジャンプフォルダ決定処理を説明するための図である。図３に示したような階層構造で多数の画像ファイルが複数のフォルダに分割して記録媒体（メモリカード１２１）に記録されており、通常の画像再生処理により“IMG_0544.Jpg”の画像ファイルＤＩＰに係る画像が表示されているとする。
【００４２】
このとき、ジャンプボタン１２４がユーザにより押下されてオンになると、ＣＰＵ１０９は、画像ファイルＤＩＰ（“IMG_0544.Jpg”）が存在するフォルダ“345XXXXX”をカレントフォルダＣＦに決定する。さらに、画像右送りボタン１２３がオンされると、ＣＰＵ１０９は、カレントフォルダＣＦ（“345XXXXX”）に対してフォルダ順で次のフォルダ（順方向に次のフォルダ）であるフォルダ“346XXXXX”をジャンプフォルダＪＦに決定する。
【００４３】
なお、図３に示した例では、ＣＰＵ１０９は、カレントフォルダＣＦに対してフォルダ順で次のフォルダをジャンプフォルダＪＦにするようにしているが、右送りジャンプフォルダ決定処理はこれに限定されるものではない。例えば図４に示すように、不揮発性メモリ１１１にフォルダジャンプ定数を記録しておき、その記録されているフォルダジャンプ定数分だけカレントフォルダＣＦに対してフォルダ順で順方向のフォルダをジャンプフォルダとして決定するようにしてもよい。
【００４４】
図４は、右送りジャンプフォルダ決定処理の他の例を説明するための図である。図４に示した例では、不揮発性メモリ１１１に記録されているフォルダジャンプ定数が２の場合を示している。通常の画像再生処理により“IMG_0544.Jpg”の画像ファイルＤＩＰに係る画像が表示されている状態でジャンプボタン１２４がオンされると、ＣＰＵ１０９は、画像ファイルＤＩＰが存在するフォルダ“345XXXXX”をカレントフォルダＣＦに決定する。さらに、画像右送りボタン１２３がオンされると、ＣＰＵ１０９は、カレントフォルダＣＦ（“345XXXXX”）に対してフォルダ順で順方向に２つ先のフォルダであるフォルダ“451XXXXX”をジャンプフォルダＪＦに決定する。
【００４５】
次に、図２に示したステップＳ１６での左送りジャンプフォルダ決定処理について説明する。
図５は、左送りジャンプフォルダ決定処理を説明するための図である。図５に示したような階層構造でメモリカード１２１に記録された多数の画像ファイルの中から、通常の画像再生処理により“IMG_0544.Jpg”の画像ファイルＤＩＰに係る画像が表示されているとする。このとき、ジャンプボタン１２４がオンされると、ＣＰＵ１０９は、画像ファイルＤＩＰ（“IMG_0544.Jpg”）が存在するフォルダ“345XXXXX”をカレントフォルダＣＦに決定する。さらに、画像左送りボタン１２２がオンされると、ＣＰＵ１０９は、カレントフォルダＣＦ（“345XXXXX”）に対してフォルダ順で前のフォルダであるフォルダ“102XXXXX”をジャンプフォルダＪＦに決定する。
【００４６】
なお、図５に示した例では、ＣＰＵ１０９は、カレントフォルダＣＦに対してフォルダ順で前のフォルダをジャンプフォルダＪＦにするようにしているが、左送りジャンプフォルダ決定処理はこれに限定されるものではない。例えば図６に示すように、不揮発性メモリ１１１にフォルダジャンプ定数を記録しておき、その記録されているフォルダジャンプ定数分だけカレントフォルダＣＦに対してフォルダ順で逆方向のフォルダをジャンプフォルダとして決定するようにしてもよい。
【００４７】
図６は、左送りジャンプフォルダ決定処理の他の例を説明するための図である。図６に示した例では、不揮発性メモリ１１１に記録されているフォルダジャンプ定数が２の場合を示している。通常の画像再生処理により“IMG_0544.Jpg”の画像ファイルＤＩＰに係る画像が表示されている状態でジャンプボタン１２４がオンされると、ＣＰＵ１０９は、画像ファイルＤＩＰが存在するフォルダ“345XXXXX”をカレントフォルダＣＦに決定する。さらに、画像左送りボタン１２２がオンされると、ＣＰＵ１０９は、カレントフォルダＣＦ（“345XXXXX”）に対してフォルダ順で２つ前のフォルダであるフォルダ“100XXXXX”をジャンプフォルダＪＦに決定する。
【００４８】
なお、不揮発性メモリ１１１に記録するフォルダジャンプ定数は、デジタルカメラ１００が備えるユーザインターフェース（メニュー操作等）により変更可能にしてもよい。ここで、フォルダジャンプ定数を１に変更した場合、デジタルカメラ１００は図３及び図６で説明した動作を行うことになる。
【００４９】
また、フォルダジャンプ定数によりフォルダのジャンプ数を決定するのではなく、ＣＰＵ１０９が、図７に示すようにして記録媒体（メモリカード１２１）内に存在する全フォルダ数に基づきフォルダのジャンプ数を算出するようにしても良い。
【００５０】
図７は、ＣＰＵ１０９によるフォルダジャンプ数算出動作を示すフローチャートである。
フォルダジャンプ数算出動作を開始すると、ＣＰＵ１０９は、記録媒体内フォルダ数算出処理（Ｓ３１）を行う。ステップＳ３１での記録媒体内フォルダ数算出処理では、ＣＰＵ１０９は、記録媒体であるメモリカード１２１の中に存在するフォルダの総数Ｆを算出する。
【００５１】
次に、ＣＰＵ１０９は、ステップＳ３１において得られたフォルダの総数Ｆを用いてフォルダジャンプ数算出処理（Ｓ３２）を行う。ステップＳ３２でのフォルダジャンプ数算出処理では、ＣＰＵ１０９は、不揮発性メモリ１１１に記録されている周回フォルダジャンプ定数で、フォルダ総数Ｆを割った商をフォルダジャンプ数として決定する。そして、フォルダジャンプ数算出動作を終了する。
【００５２】
例えば、記録媒体内に９００個のフォルダがあり、不揮発性メモリ１１１に記録されている周回フォルダジャンプ定数が１０であった場合には、フォルダジャンプ数は９００÷１０＝９０となる。ここでカレントフォルダＣＦが４００番目のフォルダであった場合、ＣＰＵ１０９は、右送りジャンプフォルダ決定処理（Ｓ１５）であれば、順方向に９０個先の４９０番目のフォルダをジャンプフォルダＪＦに決定する。同様に、ＣＰＵ１０９は、左送りジャンプフォルダ決定処理（Ｓ１６）であれば、９０個前の３１０番目のフォルダをジャンプフォルダＪＦに決定する。
【００５３】
なお、全フォルダ数とそれに対応するフォルダジャンプ数とを規定したテーブルを不揮発性メモリ１１１に記憶しておき、図７に示したステップＳ３２において、ＣＰＵ１０９は、そのテーブルを参照することでジャンプフォルダ数を決定するようにしても良い。
【００５４】
また、図２に示したステップＳ１５、Ｓ１６において決定したジャンプフォルダＪＦに画像がない場合には、ＣＰＵ１０９は、さらに次又は前のフォルダを候補として検索し、画像が存在するフォルダをジャンプフォルダＪＦに決定し直すように補正をかけても良い。
【００５５】
例えば、図８に示す例では、通常の画像再生処理により“IMG_0544.Jpg”の画像ファイルＤＩＰに係る画像が表示されているので、このときジャンプボタン１２４がオンされると、カレントフォルダＣＦは、画像ファイルＤＩＰ（“IMG_0544.Jpg”）が存在する“345XXXXX”となる。さらに、画像右送りボタン１２３がオンされると、ＣＰＵ１０９は、カレントフォルダＣＦ（“345XXXXX”）の次のフォルダであるフォルダ“346XXXXX”をジャンプフォルダＪＦに決定しようとするが、フォルダ“346XXXXX”には画像ファイルが存在しない。そのため、ＣＰＵ１０９は、カレントフォルダＣＦから見てさらに次のフォルダであり、かつ画像ファイルが存在するフォルダ“451XXXXX”をジャンプフォルダＪＦに決定する。
【００５６】
また、図２に示したステップＳ１５、Ｓ１６において決定したジャンプフォルダＪＦに画像がない場合には、ＣＰＵ１０９は、フォルダ内に画像ファイルが存在しない旨を警告表示や警告音等でユーザに示すようにしても良い。
【００５７】
また、右送りジャンプフォルダ決定処理によるジャンプフォルダの決定において、最新のフォルダを飛び越えてしまう場合には、ＣＰＵ１０９が、最古のフォルダに戻って不足フォルダ分をジャンプした先のフォルダをジャンプフォルダに決定するようにしても良いし、最新のフォルダをジャンプフォルダに決定するようにしても良い。また、同様に左送りジャンプフォルダ決定処理によるジャンプフォルダの決定において、最古のフォルダを飛び越えてしまう場合には、ＣＰＵ１０９が、最新のフォルダに戻って不足フォルダ分をジャンプした先のフォルダをジャンプフォルダに決定するようにしても良いし、最古のフォルダをジャンプフォルダに決定するようにしても良い。
【００５８】
次に、図２に示したステップＳ１７において実行されるフォルダジャンプ再生画像決定処理について説明する。上述したように、フォルダジャンプ再生画像決定処理では、ＣＰＵ１０９は、ジャンプフォルダにおける先頭画像を含む１枚以上の画像を再生画像として決定するが、再生画像枚数は現在再生されている状態（ジャンプ前の状態）に依存する。
【００５９】
例えば、１枚表示の状態でフォルダジャンプを行った場合には、図９に示すようにジャンプフォルダの先頭画像が１枚表示される。
図９は、図２に示したステップＳ１７でのフォルダジャンプ再生画像決定処理を説明するための図である。図９に示したような階層構造でメモリカード１２１に記録された多数の画像ファイルの中から、通常の画像再生処理により“IMG_0544.Jpg”の画像ファイルＤＩＰに係る画像が１枚のみ表示されているとする。このとき、ジャンプボタン１２４がオンされると、ＣＰＵ１０９は、画像ファイルＤＩＰ（“IMG_0544.Jpg”）が存在するフォルダ“345XXXXX”をカレントフォルダＣＦに決定する。さらに、画像右送りボタン１２３がオンされると、ＣＰＵ１０９は、カレントフォルダＣＦ（“345XXXXX”）の次のフォルダであるフォルダ“451XXXXX”をジャンプフォルダＪＦに決定し、そのフォルダ内の先頭画像である画像ファイルＤＩＮ（“IMG_0511.Jpg”）を再生画像として決定する。
【００６０】
また、例えば４枚表示の状態でフォルダジャンプを行った場合には、図１０に示すようにジャンプフォルダの先頭画像から順方向の画像が４枚表示される。
図１０に示す例では、通常の画像再生処理により画像ファイルＤＩＰ’（“IMG_0543.Jpg”、“IMG_0544.Jpg”、“IMG_0560.Jpg”、及び“IMG_0561.Jpg”）に係る画像が表示されているので、このときジャンプボタン１２４がオンされると、カレントフォルダＣＦは、画像ファイルＤＩＰ’が存在するフォルダ“345XXXXX”となる。さらに、画像右送りボタン１２３がオンされると、ＣＰＵ１０９は、カレントフォルダＣＦ（“345XXXXX”）の次のフォルダであるフォルダ“451XXXXX”をジャンプフォルダＪＦに決定する。また、ＣＰＵ１０９は、ジャンプフォルダＪＦ（“451XXXXX”）の先頭画像を含む画像ファイルＤＩＮ’（“IMG_0511.Jpg”、“IMG_0543.Jpg”、“IMG_0544.Jpg”、及び“IMG_0560.Jpg”）を再生画像として決定する。
【００６１】
なお、図９、図１０に示した例では、画像右送りボタン１２３がオンされる場合を一例として示しているが、画像左送りボタン１２２がオンされる場合はジャンプフォルダＪＦがフォルダ“100XXXXX”に変わるだけである。
【００６２】
ここで、通常の画像再生処理により表示している画像の中にカレントフォルダの先頭画像が含まれていない状態でジャンプボタン１２４がオンされ、さらに画像左送りボタン１２２がオンされた場合には、ＣＰＵ１０９は、図１１に示すように、ジャンプフォルダ及び再生画像を決定するようにしても良い。すなわち、ＣＰＵ１０９は、カレントフォルダをジャンプフォルダに決定するとともに、カレントフォルダの先頭画像を含む１枚以上の画像を再生画像として決定するようにしても良い。
【００６３】
図１１に示す例では、通常の画像再生処理により画像ファイルＤＩＰ（“IMG_0560.Jpg”）に係る画像が表示されているので、このときジャンプボタン１２４がオンされると、カレントフォルダＣＦは、画像ファイルＤＩＰが存在するフォルダ“451XXXXX”となる。さらに、画像左送りボタン１２２がオンされると、ＣＰＵ１０９は、画像ファイルＤＩＰ（“IMG_0560.Jpg”）がカレントフォルダＣＦ（“451XXXXX”）の先頭画像ではないので、カレントフォルダＣＦをそのままジャンプフォルダＪＦＡに決定する。また、ＣＰＵ１０９は、フォルダ“451XXXXX”の先頭画像である画像ファイルＤＩＮＡ（“IMG_0511.Jpg”）を再生画像として決定する。
【００６４】
図１１に示した例で、さらに画像左送りボタン１２２がオンされると、ジャンプフォルダＪＦＡ（“451XXXXX”）の先頭画像である画像ファイルＤＩＮＡ（“IMG_0511.Jpg”）を表示しているので、ＣＰＵ１０９は、ジャンプフォルダＪＦＡ（“451XXXXX”）の前のフォルダであるフォルダ“345XXXXX”を次のジャンプフォルダＪＦＢに決定する。また、ＣＰＵ１０９は、ジャンプフォルダＪＦＢ（“345XXXXX”）の先頭画像である画像ファイルＤＩＮＢ（“IMG_0511.Jpg”）を再生画像として決定する。
【００６５】
さらに画像左送りボタン１２２がオンされると、同様にして、ＣＰＵ１０９は、ジャンプフォルダＪＦＢ（“345XXXXX”）の前のフォルダであるフォルダ“100XXXXX”を次のジャンプフォルダＪＦＣに決定する。また、ＣＰＵ１０９は、ジャンプフォルダＪＦＣ（“100XXXXX”）の先頭画像である画像ファイルＤＩＮＣ（“IMG_0137.Jpg”）を再生画像として決定する。
【００６６】
また、フォルダジャンプ再生画像決定処理において、ＣＰＵ１０９は、ジャンプフォルダにおける後端画像を含む１枚以上の画像を再生画像として決定するようにしても良い。
例えば、１枚表示の状態でフォルダジャンプを行った場合には、図１２に示すようにジャンプフォルダの後端画像が１枚表示される。
図１２に示す例では、通常の画像再生処理により画像ファイルＤＩＰ（“IMG_0544.Jpg”）に係る画像が表示されているので、このときジャンプボタン１２４がオンされると、カレントフォルダＣＦは、画像ファイルＤＩＰが存在するフォルダ“345XXXXX”となる。さらに、画像左送りボタン１２２がオンされると、ＣＰＵ１０９は、カレントフォルダＣＦ（“345XXXXX”）の前のフォルダであるフォルダ“100XXXXX”をジャンプフォルダＪＦに決定する。また、ＣＰＵ１０９は、ジャンプフォルダＪＦ（“100XXXXX”）の後端画像である画像ファイルＤＩＮ（“IMG_2703.Jpg”）を再生画像として決定する。
【００６７】
また、例えば４枚表示の状態でフォルダジャンプを行った場合には、図１３に示すようにジャンプフォルダＪＦの後端画像から逆方向の画像が４枚表示される。
図１３に示す例では、通常の画像再生処理により画像ファイルＤＩＰ’（“IMG_0543.Jpg”、“IMG_0544.Jpg”、“IMG_0560.Jpg”、及び“IMG_0561.Jpg”）に係る画像が表示されている、このときジャンプボタン１２４がオンされると、カレントフォルダＣＦは、画像ファイルＤＩＰ’が存在するフォルダ“345XXXXX”となる。さらに、画像左送りボタン１２２がオンされると、ＣＰＵ１０９は、カレントフォルダＣＦ（“345XXXXX”）の前のフォルダであるフォルダ“100XXXXX”をジャンプフォルダＪＦに決定する。また、ＣＰＵ１０９は、ジャンプフォルダＪＦ（“100XXXXX”）の後端画像を含む画像ファイルＤＩＮ’（“IMG_0138.Jpg”、“IMG_0139.Jpg”、“IMG_0290.Jpg”、及び“IMG_2703.Jpg”）を再生画像として決定する。
【００６８】
ここで、通常の画像再生処理により表示している画像の中にカレントフォルダの後端画像が含まれていない状態でジャンプボタン１２４がオンされ、さらに画像右送りボタン１２３がオンされた場合には、ＣＰＵ１０９は、図１４に示すように、ジャンプフォルダ及び再生画像を決定するようにしても良い。すなわち、ＣＰＵ１０９は、カレントフォルダをジャンプフォルダに決定するとともに、カレントフォルダの後端画像を含む１枚以上の画像を再生画像として決定するようにしても良い。
【００６９】
図１４に示す例では、通常の画像再生処理により画像ファイルＤＩＰ（“IMG_0139.Jpg”）に係る画像が表示されているので、このときジャンプボタン１２４がオンされると、カレントフォルダＣＦは、画像ファイルＤＩＰが存在するフォルダ“100XXXXX”となる。さらに、画像右送りボタン１２３がオンされると、ＣＰＵ１０９は、画像ファイルＤＩＰ（“IMG_0139.Jpg”）がカレントフォルダＣＦ（“100XXXXX”）の後端画像ではないので、カレントフォルダＣＦをそのままジャンプフォルダＪＦＡに決定する。また、ＣＰＵ１０９は、フォルダ“100XXXXX”の後端画像である画像ファイルＤＩＮＡ（“IMG_2703.Jpg”）を再生画像として決定する。
【００７０】
図１４に示した例で、さらに画像右送りボタン１２３がオンされると、ジャンプフォルダＪＦＡ（“100XXXXX”）の後端画像である画像ファイルＤＩＮＡ（“IMG_2703.Jpg”）を表示しているので、ＣＰＵ１０９は、ジャンプフォルダＪＦＡ（“100XXXXX”）の次のフォルダであるフォルダ“345XXXXX”を次のジャンプフォルダＪＦＢに決定する。また、ＣＰＵ１０９は、ジャンプフォルダＪＦＢ（“345XXXXX”）の後端画像である画像ファイルＤＩＮＢ（“IMG_0788.Jpg”）を再生画像として決定する。
【００７１】
さらに画像右送りボタン１２３がオンされると、同様にして、ＣＰＵ１０９は、ジャンプフォルダＪＦＢ（“345XXXXX”）の次のフォルダであるフォルダ“451XXXXX”を次のジャンプフォルダＪＦＣに決定する。また、ＣＰＵ１０９は、ジャンプフォルダＪＦＣ（“451XXXXX”）の後端画像である画像ファイルＤＩＮＣ（“IMG_0788.Jpg”）を再生画像として決定する。
【００７２】
また、フォルダジャンプ再生画像決定処理において、ＣＰＵ１０９は、カレントフォルダ内の全画像数に対する再生中画像の割合とジャンプフォルダ内の全画像数とから再生画像を決定するようにしても良い。
図１５は、その場合のＣＰＵ１０９によるフォルダジャンプ再生画像決定処理を示すフローチャートである。
【００７３】
フォルダジャンプ再生画像決定処理を開始すると、ＣＰＵ１０９は、カレントフォルダ内画像数算出処理（Ｓ２１）を行う。ステップＳ２１でのカレントフォルダ内画像数算出処理では、ＣＰＵ１０９は、カレントフォルダの中に存在する画像ファイルの総数ＮＣを算出する。
【００７４】
次に、ＣＰＵ１０９は、再生中カレントフォルダ画像割合算出処理（Ｓ２２）を行う。ステップＳ２２での再生中カレントフォルダ画像割合算出処理では、ＣＰＵ１０９は、現在再生表示中の画像のカレントフォルダでの画像の先頭からの順番ＮＰを総数ＮＣで割ることにより、カレントフォルダ内の再生画像の位置に対する割合Ｐを求める。
【００７５】
続いて、ＣＰＵ１０９は、ステップＳ２２において得られた割合Ｐに基づいて、ジャンプフォルダ内再生画像算出処理（Ｓ２３）を行う。ステップＳ２３でのジャンプフォルダ内再生画像算出処理では、ＣＰＵ１０９は、ジャンプフォルダの中に存在する画像ファイルの総数ＮＪを算出し、割合Ｐと積算したのち整数補正した数ＮＰ’を算出し、ジャンプフォルダ内での先頭からＭ枚番目の画像ファイルを再生画像として決定する。そして、フォルダジャンプ再生画像決定処理を終了する。
【００７６】
例えば、図１５に示す例では、通常の画像再生処理により画像ファイルＤＩＰ（“IMG_0255.Jpg”）に係る画像が表示されているので、このときジャンプボタン１２４がオンされると、カレントフォルダＣＦは、画像ファイルＤＩＰが存在するフォルダ“100XXXXX”となる。ここで、カレントフォルダＣＦ（“100XXXXX”）には１００枚の画像ファイルが存在し、かつカレントフォルダＣＦ（“100XXXXX”）の先頭画像から４０番目の画像ファイル（“IMG_0255.Jpg”）がＥＶＦ／ＬＣＤ１１５に表示されている。この場合、上述したフォルダジャンプ再生画像決定処理にて算出される割合Ｐは、４０÷１００＝０．４となる。
【００７７】
さらに、画像右送りボタン１２３がオンされると、ＣＰＵ１０９は、カレントフォルダＣＦ（“100XXXXX”）の次のフォルダであるフォルダ“345XXXXX”をジャンプフォルダＪＦに決定する。ここで、ジャンプフォルダＪＦ（“345XXXXX”）には２００枚の画像ファイルがある。したがって、この場合、再生画像の先頭からの順番ＮＰ’は、０．４×２００＝８０となり、ＣＰＵ１０９は、ジャンプフォルダＪＦ（“345XXXXX”）の先頭画像から８０番目の画像ファイルである画像ファイルＤＩＮ（“IMG_0544.Jpg”）を再生画像として決定する。
【００７８】
なお、上述した説明では、通常の画像再生時とフォルダジャンプ操作後との画像の表示形式は同じとしているが、ユーザのメニュー操作などによりフォルダジャンプ操作後の表示方法を別途設定できるようにしても良い。この場合には、通常の画像再生時の表示形式にかかわらず、フォルダジャンプ操作後の表示形式を任意に設定することが可能になり、例えば、フォルダジャンプ操作後の表示形式を通常の画像再生時と異なるようにすることもできる。例えば、通常の画像再生時には１枚の画像を再生表示し、フォルダジャンプ操作後には９枚の画像をマルチ表示するように表示形式を設定することができる。
【００７９】
また、フォルダジャンプ再生画像画像決定処理において、複数の画像を再生画像として決定する、つまり複数の画像をＥＶＦ／ＬＣＤ１１５に表示する場合に、ジャンプフォルダに存在する画像が表示可能な画像数より少なければ、ジャンプフォルダに存在する画像のみを表示するようにしても良いし、ジャンプフォルダに隣接するフォルダに存在する画像もあわせて再生画像として表示するようにしても良い。ジャンプフォルダに隣接するフォルダに存在する画像も再生画像としてＥＶＦ／ＬＣＤ１１５に表示する場合には、図１７に示すようにジャンプフォルダに存在する画像群１７１をそうでない画像群１７２に対して強調するように表示しても良い。また、逆に、ジャンプフォルダに存在しない画像群１７２を強調するように表示しても良い。
【００８０】
以上、第１の実施形態によれば、ＣＰＵ１０９は、通常の画像再生処理により多数の画像ファイルが記録されたメモリカード１２１から読み出した画像を表示しているときに、ジャンプボタン１２４がオンされると、現在表示している画像が存在するフォルダをカレントフォルダに決定する。さらに、画像左送りボタン１２２又は画像右送りボタン１２３がオンされると、ＣＰＵ１０９は、操作されたボタン１２２、１２３に応じて、カレントフォルダに対してフォルダジャンプ数だけ前後のフォルダをジャンプフォルダに決定する。また、ＣＰＵ１０９は、ジャンプフォルダの画像ファイルの中から再生する画像ファイルを決定して再生画像としてＥＶＦ／ＬＣＤ１１５に表示する。
【００８１】
これにより、画像左送りボタン１２２又は画像右送りボタン１２３を操作すると、現在表示している画像が存在するフォルダに対してフォルダジャンプ数だけ前後したフォルダの画像ファイルが再生画像として表示される。したがって、多数の画像ファイルが複数のフォルダに分類されて記録されたメモリカード１２１から所望のフォルダもしくは画像ファイルを検索する場合に、簡単な操作で検索できるようになり、検索に係る操作性を向上させることができる。
【００８２】
また、記録媒体であるメモリカード１２１内のフォルダ数に応じてフォルダジャンプ数を決定するようにした場合には、フォルダ総数に応じた適切なフォルダジャンプ数を設定することができる。これにより、検索に係るユーザ操作を軽減することができ、フォルダを意識して画像ファイルを配置しているユーザは、少ない操作で所望のフォルダもしくは画像データをすばやく検索し閲覧することができる。
【００８３】
また、メモリカード１２１のフォルダ内の画像数に応じてジャンプ先のフォルダにおける再生画像を決定するようにした場合には、検索に係るユーザ操作を軽減でき、フォルダを意識して画像ファイルを配置しているユーザは、少ない操作で所望の画像ファイルを検索することが可能になる。
【００８４】
また、マルチ表示においてフォルダジャンプを行った場合に、ジャンプ先のフォルダの画像のみを表示対象としたり、画像がないときに警告等を行うようにしたりした場合には、フォルダに対する画像をユーザが明確に認識することができる。また、現在表示している画像のフォルダ内での相対位置を割合で算出し、ジャンプ先のフォルダにおいても相対位置が同じ割合となる画像ファイルを再生画像としてＥＶＦ／ＬＣＤ１１５に表示するようにした場合には、所望の画像ファイルについてフォルダの中での相対位置が分かっているとき、異なるフォルダのその相対位置に対応した画像を表示させてジャンプすることにより、ユーザは少ない操作で所望の画像ファイルを検索し閲覧することが可能になる。
【００８５】
（第２の実施形態）
次に、第２の実施形態について説明する。
図１８は、本発明の第２の実施形態による画像再生装置を適用したデジタルカメラの構成例を示すブロック図である。この図１８において、図１に示したブロック等と同一の機能を有するブロック等には同一の符号を付し、重複する説明は省略する。
【００８６】
図１８に示す第２の実施形態におけるデジタルカメラ１００ａは、図１９に示すように、メモリカード１２１内の順番を持った複数のフォルダから２つの選択フォルダＳＦＡ、ＳＦＢを選択することで、その間に存在するフォルダ数を全フォルダ数としてフォルダジャンプ数を算出するようにしたものである。
【００８７】
図１８に示すデジタルカメラ１００ａには、図１に示したデジタルカメラ１００の構成に加えフォルダ選択ボタン２００及び選択フォルダ決定ボタン２０１が追加されている。フォルダ選択ボタン２００及び選択フォルダ決定ボタン２０１は、それぞれ押下操作でオンとなるボタンである。
【００８８】
ＣＰＵ１０９ａは、上述した第１の実施形態の動作を実現するとともに、追加されたフォルダ選択ボタン２００及び選択フォルダ決定ボタン２０１に対する操作に応じて図２０に示す動作を行う。
図２０は、図１８に示す第２の実施形態におけるデジタルカメラ１００ａでのフォルダ選択操作を適用したフォルダジャンプ数決定処理を示すフローチャートである。
【００８９】
まず、ＣＰＵ１０９ａは、フォルダ選択ボタン２００がオンであるかオフであるかを判別する（Ｓ４１）。その結果、フォルダ選択ボタン２００がオンであれば、ＣＰＵ１０９ａは、メモリカード１２１に記録されているフォルダの中から１つのフォルダを選択し、選択フォルダ決定ボタン２０１に対する操作に応じてフォルダを決定する（Ｓ４２）。ＣＰＵ１０９ａは、決定されたフォルダを、選択すべき２つの選択フォルダＳＦＡ、ＳＦＢのうち１つのフォルダとしてＲＡＭメモリ１１３等に記憶する。
【００９０】
上述したフォルダの選択・決定操作を２回以上繰り返すことで、フォルダジャンプ数を決定するために選択フォルダＳＦＡ、ＳＦＢが決定できる。なお、３回以上の選択・決定操作が行なわれた場合には、直前の２回の操作にて決定された選択フォルダが採用される。ステップＳ４１、Ｓ４２において決定した２つの選択フォルダＳＦＡ、ＳＦＢで良くなければ（Ｓ４３のＮｏ）、ステップＳ４１，Ｓ４２での処理を繰り返す。
【００９１】
一方、ステップＳ４１、Ｓ４２において決定した２つの選択フォルダＳＦＡ、ＳＦＢで良ければ（Ｓ４３のＹｅｓ）、ＣＰＵ１０９ａは、２つの選択フォルダＳＦＡ，ＳＦＢ間のフォルダ数を計数する。さらに、ＣＰＵ１０９ａは、計数して得られた選択フォルダＳＦＡ，ＳＦＢ間のフォルダ数を全フォルダ数として、その全フォルダ数を不揮発性メモリ１１１に記録されている周回フォルダジャンプ定数で割った商をフォルダジャンプ数として決定する（Ｓ４４）。そして、フォルダジャンプ数決定処理を終了する。
【００９２】
ここで、選択フォルダＳＦＡ、ＳＦＢを選択する手段としては、フォルダ選択専用画面でフォルダのリストから選択するようにしても良いし、画像を選択することでその画像が存在するフォルダを選択するようにしても良い。
【００９３】
上述のようにして決定したフォルダジャンプ数を用い、ＣＰＵ１０９ａは、全フォルダの画像を対象として第１の実施形態において説明したフォルダジャンプ再生動作を実行する。このように対象範囲を全フォルダとする場合には、２つの選択フォルダＳＦＡ、ＳＦＢは、単にフォルダジャンプ数を決定するためのみに使用されることになる。
また、ＣＰＵ１０９ａは、２つの選択フォルダＳＦＡ，ＳＦＢの間にあるフォルダの画像を対象として第１の実施形態において説明したフォルダジャンプ再生動作を実行するようにしても良い。このように２つの選択フォルダＳＦＡ，ＳＦＢの間の画像を対象範囲とする場合には、２つの選択フォルダＳＦＡ，ＳＦＢは、フォルダジャンプ数を決定するために使用されつつ、対象範囲を規定するのにも使用されることになる。
【００９４】
以上、第２の実施形態によれば、第１の実施形態と同様に、多数の画像ファイルが複数のフォルダに分類されて記録されたメモリカード１２１から所望のフォルダもしくは画像ファイルを検索する場合に、簡単な操作で検索でき検索に係る操作性を向上させることができる。また、例えば、第１の実施形態において説明したフォルダジャンプ再生で２つの選択フォルダＳＦＡ，ＳＦＢを決定し、決定した２つの選択フォルダＳＦＡ、ＳＦＢの間のフォルダ数を基にフォルダジャンプ数を決定することにより、徐々に範囲を絞り込みながら画像の検索閲覧を行うことができる。これにより、フォルダ数が多くなっても、所望のフォルダもしくは画像ファイルを容易に見つけやすくなる。この効果は、対象とするフォルダ数が増える程、顕著であり、ユーザの利便性を大幅に向上させることができる。
【００９５】
（その他の実施形態）
上述した各実施形態は、装置あるいはシステム内のコンピュータ（あるいはＣＰＵ、ＭＰＵ等）で実行可能なコンピュータプログラムによって実現することもできる。この場合、上記コンピュータプログラムは、コンピュータ読み取り可能な記録媒体を介して上記装置あるいはシステムに供給される。上記コンピュータ読み取り可能な記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、コンピュータが供給されたコンピュータプログラムを実行することにより、上述の実施形態の機能が実現されるだけでなく、そのコンピュータプログラムがコンピュータにおいて稼働しているＯＳ（オペレーティングシステム）あるいは他のアプリケーションソフト等と共同して上述の実施形態の機能が実現される場合にもかかるコンピュータプログラムは本発明の実施形態に含まれることは言うまでもない。
さらに、供給されたコンピュータプログラムがコンピュータの機能拡張ボードやコンピュータに接続された機能拡張ユニットに備わるメモリに格納された後、そのコンピュータプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００９６】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００９７】
【図１】本発明の第１の実施形態におけるデジタルカメラの構成例を示すブロック図である。
【図２】本実施形態におけるフォルダジャンプ送りモードでの画像送り動作を示すフローチャートである。
【図３】右送りジャンプフォルダ決定処理の一例を説明するための図である。
【図４】右送りジャンプフォルダ決定処理の他の例を説明するための図である。
【図５】左送りジャンプフォルダ決定処理の一例を説明するための図である。
【図６】左送りジャンプフォルダ決定処理の他の例を説明するための図である。
【図７】フォルダジャンプ数算出動作を示すフローチャートである。
【図８】右送りジャンプフォルダ決定処理の他の例を説明するための図である。
【図９】フォルダジャンプ再生画像決定処理の一例を説明するための図である。
【図１０】フォルダジャンプ再生画像決定処理の他の例を説明するための図である。
【図１１】フォルダジャンプ再生画像決定処理の他の例を説明するための図である。
【図１２】フォルダジャンプ再生画像決定処理の他の例を説明するための図である。
【図１３】フォルダジャンプ再生画像決定処理の他の例を説明するための図である。
【図１４】フォルダジャンプ再生画像決定処理の他の例を説明するための図である。
【図１５】フォルダジャンプ再生画像決定処理を示すフローチャートである。
【図１６】フォルダジャンプ再生画像決定処理の他の例を説明するための図である。
【図１７】フォルダジャンプ操作後の画像の表示例を示す図である。
【図１８】本発明の第２の実施形態におけるデジタルカメラの構成例を示すブロック図である。
【図１９】第２の実施形態におけるフォルダ選択の一例を示す図である。
【図２０】フォルダジャンプ数決定処理を示すフローチャートである。
【符号の説明】
【００９８】
１０９、１０９ａ  ＣＰＵ
１１１  不揮発性メモリ
１１３  ＲＡＭメモリ
１１４  ＥＶＦ／ＬＣＤ制御部
１１５  ＥＶＦ／ＬＣＤ
１１９  カード入出力部
１２０  カードスロット
１２１  記録媒体
１２２  画像左送りボタン
１２３  画像右送りボタン
１２４  ジャンプボタン
１２５  マルチ表示ボタン
１２６  フォルダ選択ボタン
１２７  選択フォルダ決定ボタン
【図１】
0004585939.tif 000002
【図２】
0004585939.tif 000003
【図３】
0004585939.tif 000004
【図４】
0004585939.tif 000005
【図５】
0004585939.tif 000006
【図６】
0004585939.tif 000007
【図７】
0004585939.tif 000008
【図８】
0004585939.tif 000009
【図９】
0004585939.tif 000010
【図１０】
0004585939.tif 000011
【図１１】
0004585939.tif 000012
【図１２】
0004585939.tif 000013
【図１３】
0004585939.tif 000014
【図１４】
0004585939.tif 000015
【図１５】
0004585939.tif 000016
【図１６】
0004585939.tif 000017
【図１７】
0004585939.tif 000018
【図１８】
0004585939.tif 000019
【図１９】
0004585939.tif 000020
【図２０】
0004585939.tif 000021